(57)【要約】【課題】  省力化軌道に用いる不織布のシートであって砕石などにより小孔があいたり破れたりして填充剤が流出するのを防ぐことができ、またシートの接続を確実かつ能率よく行えるようにする。【解決手段】  バラスト軌道（１０）のレール（１４）下方を、レール（１４）の長さ方向に沿って掘削し、この掘削溝（１８）内に敷いたシート（２０）の上に小石（２６）を充填した後填充剤（２８）を注入することにより、シート（２０）上の小石を固定する省力化軌道の施工に用いるシートであって、シート（２０）は複数枚の不織布（３０）をその長さ方向の両端の一定寸法範囲を除いて適宜位置で接着した。【選択図】      図３
2005068904.tif 000002
【特許請求の範囲】
【請求項１】
バラスト軌道のレール下方を、レールの長さ方向に沿って掘削し、この掘削溝内に敷いたシートの上に小石を充填した後填充剤を注入することにより、シート上の小石を固定する省力化軌道の施工に用いるシートであって、
前記シートは複数枚の不織布をその長さ方向の両端の一定寸法範囲を除いて適宜位置で接着したことを特徴とする省力化軌道施工用シート。
【請求項２】
複数枚の不織布は、その幅方向の両縁付近を通りその長さ方向に平行な２本の直線にほぼ沿って互いに接着されている請求項１の省力化軌道施工用シート。
【請求項３】
シートには、その幅方向中央付近を通りその長さ方向に平行な位置決め用の目印が付されている請求項１の省力化軌道施工用シート。
【請求項４】
複数枚の不織布は、長繊維ポリエステルであり、スチレン・ブタジェンゴム系の接着剤で接着されている請求項１〜３のいずれかの省力化軌道施工用シート。
【請求項５】
バラスト軌道のレール下方を、レールの長さ方向に沿って掘削し、この掘削溝内に敷いたシートの上に小石を充填した後填充剤を注入することにより、シート状の小石を固定する省力化軌道の施工方法において、
前記シートは、複数枚の不織布をその長さ方向に沿いかつその長さ方向の両端の一定寸法を除いて接着したものであり、レール長さ方向に異なるシートを接続するにあたり、両シートの端で不織布を交互に重ね合わせつつ重ね合わせ面を交互に接着することを特徴とする省力化軌道の施工方法。
【請求項６】
異なるシートの接続部には、重ね合わせ面にスチレン・ブタジェンゴム系の接着剤を噴霧することにより供給する請求項５の省力化軌道の施工方法。
【発明の詳細な説明】
【技術分野】
【０００１】
この発明は、レールや枕木などを支持する省力化軌道に用いるシートと、これを用いた施工方法とに関するものである。
【背景技術】
【０００２】
レールや枕木などを支持する軌道のうち、砕石や砂利を用いたバラスト軌道は、保守、管理に多大な労力を要するという問題がある。砕石や砂利が移動したり沈み込んだりしてレールや枕木の位置が変動するためである。このため砕石や砂利を固定することが行われている。例えばＥ型舗装軌道が知られている。
【０００３】
特許文献１，２には、既設のバラスト軌道内でレール下方を掘削した溝内に不織布などの透水性のシートを敷き、この上に豆砕石を敷き込んでからセメントアスファルトモルタルなどの填充剤を流し込んで豆砕石を固定することが示されている。ここにシートは、填充剤は通過しにくく、雨水は通過し易いことが必要であり、通常不織布が用いられる。
【０００４】
【特許文献１】特開平９−２６８５０１号
【特許文献２】特開平６−１０８４０１号
【０００５】
また不織布は一定長さのものをロール状に巻いて準備されるから、レールの下に敷く時には異なるロールの不織布を接続することが必要である。この不織布の接続には従来両面接着テープを用いている。すなわち掘削溝内に敷いた不織布の一端に両面接着テープを貼り付け、その上に次の不織布の端を重ねて接着していた。
【発明の開示】
【発明が解決しようとする課題】
【０００６】
従来の施工方法では、掘削溝内に敷く不織布として一枚の不織布を用いているため、その上に砕石を敷き込んで突き固める時に不織布が破れたり小石の角で小孔があくことが多い。このような時には、注入した填充剤が不織布にできた切れ目や小孔から流出することになる。
【０００７】
また不織布の接続に両面接着剤テープを用いる場合には、施工現場でテープを貼り付けたりするが、施工現場で砕石上に敷いた不織布の表面は凹凸であるため、テープを均一に貼り付けることは非常に困難である。また他方の不織布の端をこのテープに貼り付けるのも作業性が悪かった。このため接着が不完全になり、この接着剤が不完全な接続部分から填充剤が流出し易いという問題もあった。
【０００８】
少量の填充剤が流出するのは通常は大きな問題とはならないが、多量の填充剤が流出すると填充剤の使用量が増えるという問題が生じる。また鉄橋や高架橋などでは不織布から漏れ出た填充剤が橋の下に流出することになり周囲に及ぼす影響が大きくなる。
【０００９】
この発明はこのような事情に鑑みなされたものであり、省力化軌道に用いる不織布のシートであって砕石などにより小孔があいたり破れたりして填充剤が流出するのを防ぐことができ、またシートの接続を確実かつ能率よく行えるようにしたシートを提供することを第１の目的とする。またこのシートを用いた省力化軌道の施工方法を提供することを第２の目的とする。
【課題を解決するための手段】
【００１０】
この発明によれば第１の目的は、バラスト軌道のレール下方を、レールの長さ方向に沿って掘削し、この掘削溝内に敷いたシートの上に小石を充填した後填充剤を注入することにより、シート上の小石を固定する省力化軌道の施工に用いるシートであって、前記シートは複数枚の不織布をその長さ方向の両端の一定寸法範囲を除いて適宜位置で接着したことを特徴とする省力化軌道施工用シート、により達成される。
【００１１】
またこの発明によれば第２の目的は、バラスト軌道のレール下方を、レールの長さ方向に沿って掘削し、この掘削溝内に敷いたシートの上に小石を充填した後填充剤を注入することにより、シート状の小石を固定する省力化軌道の施工方法において、前記シートは、複数枚の不織布をその長さ方向に沿いかつその長さ方向の両端の一定寸法を除いて接着したものであり、レール長さ方向に異なるシートを接続するにあたり、両シートの端で不織布を交互に重ね合わせつつ重ね合わせ面を交互に接着することを特徴とする省力化軌道の施工方法、により達成される。
【発明の効果】
【００１２】
複数枚の不織布を重ねて適宜位置で接着しているから、砕石により一枚の不織布が切れたり小孔があいても他の不織布も共に同じ位置で切れたり小孔ができたりする可能性は小さくなる。このため填充剤の流出が防止される。特に複数の不織布が接着されていない場所では、１枚目の不織布と次の不織布との間には相対移動が許容されるので、重なった複数枚の不織布が同時に破れたり同じ位置に小孔ができる可能性は一層小さくなる。このため填充剤の流出は一層確実に防止できる。
【００１３】
また重ねた複数の不織布は両端から一定寸法範囲が接着していないので、両端では重ねた不織布は互いに分離していることになる。通常このシートは一定長さのものをロール状に巻いて供給されるから、一定長さごとに接続してレールの下に敷くことになるが、この時複数の不織布を交互に重ね合わせて接着することができる。このため接続部における接着を確実にして填充剤の流出を防ぐことができる。
【発明を実施するための最良の形態】
【００１４】
複数の不織布はその両縁付近、すなわちその幅方向の両縁付近に沿って接着しておき、特に砕石の荷重が加わる部分、例えば幅方向中央付近は接着しないのが望ましい。この場合には砕石の荷重が加わった時に複数の不織布の相対移動（シートの厚さ方向および平面方向の移動を含む）が許容されるため、本願発明の効果は特に大きい。
【００１５】
またこの不織布のシートはレールの下に敷く際にその幅方向の位置決めを正しく行う必要があるが、施工現場では確認しにくい。そこでこのシートの幅方向中央付近に長さ方向に平行な目印を付しておくのがよい。この目印は赤色などの直線でもよいし、点線でもよい。この目印をレールの中間に位置させて敷けばよいので、施工能率がよい。この目印は、幅方向中央付近に代えて、レールの位置など幅方向の基準になる位置に設けてもよい。
【００１６】
複数枚の不織布を接着するためには、スプレー式の接着剤を用いるのがよい。作業能率が向上するからである。ここにスプレー接着剤は、不織布を長繊維ポリエステルとした場合に、スチレン・ブタジェンゴム系のものが最適である。このようなものとしては、例えばコニシ株式会社（大阪市中央区平野町２−１−２）が供給している商品名「Ｚ−３ ボンドスプレイのり」が適する。
【実施例１】
【００１７】
図１は本発明に係るＥ型舗装軌道として知られる省力化軌道の断面斜視図、図２はその施工工程を示す図、図３はシートとその接続方法を示す平面図、図４は接続工程を示す図である。
【００１８】
図１において、符号１０はバラスト道床、１２は枕木、１４は左右一対のレールである。枕木１２は木製枕木でもよいし、コンクリート製枕木、樹脂製枕木などであってもよい。枕木１２は所定間隔おきにレール１４に直交する方向に並べられる。レール１４は枕木１２の上面に固定したタイプレート１６を含むレール締結装置によって取付けられる。
【００１９】
バラスト道床１０には、枕木１２の下方に溝（掘削溝）１８がレール１４と平行に掘削され、この掘削溝１８内に敷いた不織布シート２０の上に填充層２２が形成されている。この填充層２２は小砕石（小石、豆砕石、砂利を含む）を填充剤で固めたものであるためその耐久性が高く、保守点検整備の省力化が図られるものである。
【００２０】
この填充層２２の施工方法を図２に基づいて説明する。まず施工前の古いバラスト道床１０（図２の（Ａ））には、枕木１２の下にレール１４方向に長い掘削溝１８が掘削される。この掘削溝１８は図１および図２（Ｂ）に示すように、断面が横幅が広い略長方形である。この掘削溝１８の内面には不織布のシート２０が敷かれるが、この時掘削溝１８の左右の壁面が崩れるのを防ぐために枠板２４，２４を側壁面に当てておく。不織布のシート２０は掘削溝１８の底面から枠板２４，２４に沿って立ち上がり、その左右の両縁はバラスト道床１０の上面付近まで到達する（図２の（Ｃ））。
【００２１】
不織布のシート２０を敷き詰めた後、このシート２０の上に小砕石２６（豆砕石、砂利などであってもよい）を散布・転圧し、その上に枕木１２を位置決めする（図２の（Ｄ））。この時枠板２４，２４を除去しておく。枕木１２およびレール１４の位置を調節し、かつ小砕石２６のつき固めが終った後、不織布のシート２０の上の小砕石２６に填充剤２８を注入する。
【００２２】
填充剤２８は、加熱型改質アスファルト、急硬性セメント瀝青系グラウト材、流動性の高い高流動性コンクリートモルタル、セメントアスファルトモルタル、レジンモルタル、ポリマーセメントなど、小砕石２６を接着して固定する流体である。なおこれらの填充剤２８は雨水よりも大きい適宜の粘度があるため、不織布のシート２０をほとんどあるいは全く透過しない。
【００２３】
次の不織布のシート２０を図３，４を用いて説明する。このシート２０は上下２枚の不織布３０，３０を重ねたものであり、両不織布３０，３０は幅方向の両縁付近で接着され、それ以外の部分は接着されていない。図３の（Ａ）で３２はこの接着部を示し、接着部３２は不織布３０，３０の両縁に沿って不織布３０，３０の長手方向に平行となっている。なおこの接着部３２は、不織布３０の長手方向の両端から一定寸法の範囲には無い。従ってシート２０の両端は上下の不織布３０，３０が互いに接着されず、分離可能である。
【００２４】
ここに接着部３４に用いる接着剤としては、スプレー式のものが好適である。例えばコニシ株式会社より提供される前記した「Ｚ−３ ボンドスプレイのり」が適する。この接着剤はスチレン・ブタジエンゴム系の接着剤であり、これを溶剤と共に缶に充填してエアゾールタイプとしたものである。例えば、合成ゴム（スチレン・ブタジエンゴム）、合成樹脂（石油系樹脂）、有機溶剤（塩化メチレン）、噴射ガス（ＬＰＧ）を含むものが適する。なおこの場合不織布としては長繊維ポリエステルが適し、例えば東洋紡績株式会社から供給される商品名「ボランス４３０１Ｎ」を用いることができる。
【００２５】
不織布３０，３０を重ねたシート２０は、一定の長さ（例えば１０ｍ）ごとにロール状に巻いて施工現場に持ち込まれるから、掘削溝１８に敷き詰めながら順次つないでゆくことが必要である。そのためには接続する２枚のシート２０Ａ，２０Ｂの端を対向させ（図３の（Ｂ），図４の（Ａ）））、一方のシート２０Ａの不織布３０，３０の端３０ａ，３０ｂを上下に開いて分離する（図４の（Ｂ））。そしてこれら分離した端３０ａ，３０ｂの対向面に接着剤をスプレーする。ここで用いる接着剤はシート２０の接着部３４に用いたものと同じである。
【００２６】
図４の（Ｂ）でイは下の不織布３０の端３０ｂに塗った接着剤を示す。次に他方のシート２０Ｂの下の不織布３０の端３０ｃをシート２０Ａの下の端３０ｂに重ね、その上に上の端３０ａを重ねる（図４の（Ｃ））。そしてさらにこの端３０ａの上に接着剤をスプレーし、その上にシート２０Ｂの上の端３０ｄを重ねる。図４の（Ｃ）でハは上の端３０ａに塗った接着剤を示すが、端３０ａに代えて、図３（Ｂ）に示すように端３０ｄに接着剤を塗ってもよい。
【００２７】
この結果２枚のシート２０Ａ，２０Ｂは図４の（Ｄ）に示すように、それぞれの端部を交互に重ねた状態で接着される。このようにシート２０Ａ，２０Ｂの接続はエアゾールタイプの接着剤をスプレーして行うから、砕石の上に敷いたシート２０Ａ，２０Ｂにも簡単かつ容易に塗布でき、作業性が良い。
【００２８】
図３において符号３４は、シート２０の幅方向中央付近にシート２０の長手方向に沿って付された目印である。この目印３４は例えば印刷により適宜の色で付されている。目印３４はこのシート２０を掘削溝１８内に敷き込む際に幅方向の位置決めにすることができる。この場合には、目印３４は左右のレール１４，１４の中央にすればよい。目印３４は幅方向中央付近に代えてレール１４，１４の少くとも一方の下方に位置するように付してもよい。この場合は目印を少くとも一方のレール１４の下に位置合わせして敷き込めばよい。
【図面の簡単な説明】
【００２９】
【図１】省力化軌道の断面斜視図
【図２】施工方法を示す図
【図３】シートとその接続方法を示す平面図
【図４】接続工程を示す図
【符号の説明】
【００３０】
１０  バラスト道床
１２  枕木
１４  レール
１８  掘削溝
２０（２０Ａ，２０Ｂ）  不織布のシート
２２  填充層
２４  枠板
２６  小砕石（小石）
２８  填充剤
３０  不織布
３２  接着部
３４  目印
【図１】
2005068904.tif 000003
【図２】
2005068904.tif 000004
【図３】
2005068904.tif 000005
【図４】
2005068904.tif 000006